(57)【要約】【課題】検知剤による着色が測定限界に達しても、引き続き測定ができるようにする。【解決手段】測定対象のガスにより着色を発生させる検知剤を孔内に配置したガラスからなる透明な多孔体よりなる検知素子１０１を備える。また、検知剤による着色の吸収波長の光を検知素子１０１に向けて照射する光源１０２を備える。また、光源１０２により照射されて検知素子１０１を透過した光を検出する光検出部１０３を備える。また、光検出部１０３が検出した光の状態により光源１０２からの光の出力を制御する制御部１０４を備える。【選択図】  図１
2010175268.tif 000002
【特許請求の範囲】
【請求項１】
測定対象のガスにより着色を発生する検知剤を孔内に配置したガラスからなる透明な多孔体よりなる検知素子と、
前記検知剤による着色の吸収波長の光を前記検知素子に向けて照射する光源と、
この光源により照射されて前記検知素子を透過した光を検出する光検出手段と、
この光検出手段が検出した光の状態により前記光源からの前記光の出力を制御する制御手段と
を少なくとも備え、
前記検知剤は、
二酸化窒素イオンと反応してジアゾ化合物を生成するジアゾ化試薬および前記ジアゾ化合物とカップリングしてアゾ色素を生成するカップリング試薬とを含むもの、
および
アセチルアセトンもしくはアセチルアセトンの誘導体を含むもの
のいずれかであることを特徴とするよりなるガス測定装置。
【請求項２】
請求項１記載のガス測定装置において、
前記制御手段は、
前記光検出手段が、前記検知剤の着色が前記光源による前記検知素子への光照射により減少したことによる前記検知素子を透過した光の変化を検出するまで、前記検知素子に対する光の照射を継続するように前記光の出力を制御する
ことを特徴とするガス測定装置。
【請求項３】
請求項２記載のガス測定装置において、
前記制御手段は、前記検知素子を透過した光が前記検知剤による着色が発生する前に等しい状態となったことを、前記光検出手段が検出するまで、前記検知素子に対する光の照射を継続するように前記光の出力を制御することを特徴とするガス測定装置。
【請求項４】
測定対象のガスにより着色を発生する検知剤を孔内に配置したガラスからなる透明な多孔体よりなる検知素子に、前記検知剤による着色の吸収波長の光を照射して前記検知素子の初期光透過状態を測定するステップと、
前記初期光透過状態を測定した後に、前記ガスを含む雰囲気に前記検知素子を曝して前記検知剤による着色を発生させるステップと、
前記ガスを含む雰囲気に曝した後で、前記検知剤による着色の吸収波長の光を前記検知素子に照射して前記検知素子の曝露後光透過状態を測定するステップと、
前記検知剤による着色の吸収波長の光を前記検知素子に照射して前記検知剤による着色の状態を減少させるステップと
を少なくとも備え、
前記検知剤は、
二酸化窒素イオンと反応してジアゾ化合物を生成するジアゾ化試薬および前記ジアゾ化合物とカップリングしてアゾ色素を生成するカップリング試薬とを含むもの、
および
アセチルアセトンもしくはアセチルアセトンの誘導体を含むもの
のいずれかであることを特徴とするよりなるガス測定方法。
【発明の詳細な説明】
【技術分野】
【０００１】
本発明は、測定対象のガスにより着色する検知剤を用いてガスの存在を測定するガス測定装置およびガス測定方法に関するものである。
【背景技術】
【０００２】
空気中の微量な二酸化窒素ガスやホルムアルデヒドガスを測定する方法として、測定対象のガスにより着色する検知剤による比色センサ素子を用いる種々の方法が提案されている。例えば、非特許文献１によると、多孔質ガラス中にスルファニルアミドとジメチルナフチルアミンを含浸させ、これら検知剤が二酸化窒素とジアゾカップリング反応を起こして生じるアゾ色素の量を、吸光光度測定などの光測定で測定することで、二酸化窒素ガスの濃度を測定するようにしている。ここで、上記アゾ色素は、波長５２５ｎｍに吸収を持つ。
【０００３】
また、非特許文献２では、セルロースからなるろ紙にスルファニル酸とナフチルエチレンジアミン塩酸塩を含浸させ、二酸化窒素ガスとジアゾカップリング反応を起こさせ、これによりアゾ色素が生じた結果によるろ紙の着色状態を、色見本と比較するようにしている。
【０００４】
また、非特許文献３には、アセチルアセトンもしくは１−フェニル−１，３−ブタンジオンとアンモニウム塩と酢酸とを含む検知剤を、多孔質ガラスに含浸させた検知素子により、ホルムアルデヒドの測定を行うことについて記載されている。上記検知剤は、ホルムアルデヒドと反応することで、ルチジン誘導体が生じる。従って、上記検知素子におけるルチジン誘導体の光吸収を測定することで、ホルムアルデヒドの測定が行える。
【０００５】
また、非特許文献４には、４−アミノ−４−フェニル−３−エン−２−オンをろ紙に固定し、このろ紙の色の変化（着色）により、ホルムアルデヒドを測定することについて記載されている。４−アミノ−４−フェニル−３−エン−２−オンは、ホルムアルデヒドと反応し、ルチジン誘導体を生じてろ紙に着色を生じさせる。この着色の状態（濃度）により、ホルムアルデヒドの濃度が判定できる。
【０００６】
また、非特許文献５には、４−アミノ−３−ヒドラジノ−５−メルカプト−１，２，４−トリアゾールをろ紙に固定し、このろ紙の色の変化（着色）により、ホルムアルデヒドを測定することについて記載されている。４−アミノ−３−ヒドラジノ−５−メルカプト−１，２，４−トリアゾールは、ホルムアルデヒドと反応し、ルチジン誘導体を生じてろ紙に着色を生じさせる。この着色の状態（濃度）により、ホルムアルデヒドの濃度が判定できる。
【先行技術文献】
【特許文献】
【０００７】
【特許文献１】特許第３６３９１２３号公報
【特許文献２】特開２００８−２３２７９６号公報
【非特許文献】
【０００８】
【非特許文献１】T.Tanaka, et al. ,"A ppb-level NO2 gas sensor using coloration reactions in porous glass", Sensors and Actuators B, vol.56, pp.247-253, 1999.
【非特許文献２】ｈｔｔｐ：／／ｗｗｗ．ｇｏｄｏ−ｓｈｕｐｐａｎ．ｃｏ．ｊｐ／ｔ０２＿ｍａｉｎ．ｈｔｍｌ
【非特許文献３】Y.Y.Maruo, et al. ,"Development of formaldehyde sensing element using porous glass impregnated with β-diketone", ScienceDirect, Talanta, vol.74, pp.1141-1147, 2008.
【非特許文献４】Y.Suzuki, et al. ,"Portable Sick House Syndrome Gas Monitoring System Based on Novel Colorimetric Regents for the Highly Selective and Sensitive Detection of Formaldehyde", Environ. Sci. Technol. , vol.37, pp.5695-5700, 2003.
【非特許文献５】K.Kawamura, et al. ,"Development of a novel hand-held formaldehyde gas sensor for the rapid detection of sick building syndrome", Sensors and Actuators B, vol.105, pp.495-501, 2005.
【発明の概要】
【発明が解決しようとする課題】
【０００９】
しかしながら、上述した方法では、簡便に測定ができるが、いずれも比色式の蓄積型センサ素子を用いているので、検知剤による着色が測定限界まで達すると、これ以上測定ができなくなるという問題があった。
【００１０】
本発明は、以上のような問題点を解消するためになされたものであり、検知剤による着色が測定限界に達しても、引き続き測定ができるようにすることを目的とする。
【課題を解決するための手段】
【００１１】
本発明に係るガス測定装置は、測定対象のガスにより着色を発生する検知剤を孔内に配置したガラスからなる透明な多孔体よりなる検知素子と、検知剤による着色の吸収波長の光を検知素子に向けて照射する光源と、この光源により照射されて検知素子を透過した光を検出する光検出手段と、例えば、検知剤による着色の状態を減少させるように、光検出手段が検出した光の状態により光源からの光の出力を制御する制御手段とを少なくとも備え、検知剤は、二酸化窒素イオンと反応してジアゾ化合物を生成するジアゾ化試薬およびジアゾ化合物とカップリングしてアゾ色素を生成するカップリング試薬とを含むもの、およびアセチルアセトンもしくはアセチルアセトンの誘導体を含むもののいずれかである。
【００１２】
上記ガス測定装置において、制御手段は、光検出手段が、光源による検知素子への光照射により検知剤による着色が減少したことによる検知素子を透過した光の変化を検出するまで、検知素子に対する光の照射を継続するように光の出力を制御すればよい。なお、検知素子を検知剤による検知対象のガスを含む雰囲気に曝したことにより、検知剤の着色が発生する。
【００１３】
上記ガス測定装置において、制御手段は、検知素子を透過した光が検知剤による着色が発生する前に等しい状態となったことを、光検出手段が検出するまで、検知素子に対する光の照射を継続するように光の出力を制御してもよい。
【００１４】
また、本発明に係るガス測定方法は、測定対象のガスにより着色が発生する検知剤を孔内に配置したガラスからなる透明な多孔体よりなる検知素子に、検知剤による着色の吸収波長の光を照射して検知素子の初期光透過状態を測定するステップと、初期光透過状態を測定した後に、ガスを含む雰囲気に検知素子を曝して検知剤による着色を発生させるステップと、ガスを含む雰囲気に曝した後で、検知剤による着色の吸収波長の光を検知素子に照射して検知素子の曝露後光透過状態を測定するステップと、検知剤による着色の吸収波長の光を検知素子に照射し、検知剤による着色の状態を減少させるステップとを少なくとも備え、検知剤は、二酸化窒素イオンと反応してジアゾ化合物を生成するジアゾ化試薬およびジアゾ化合物とカップリングしてアゾ色素を生成するカップリング試薬とを含むもの、およびアセチルアセトンもしくはアセチルアセトンの誘導体を含むもののいずれかであるようにした方法である。
【発明の効果】
【００１５】
以上説明したように、本発明によれば、光源から検知素子に照射される検知剤による着色の吸収波長の光を、検知素子を透過した光の状態により制御し、例えば、検知剤による着色の状態を減少させるようにしたので、検知剤による着色が測定限界に達しても、引き続き測定ができるようになるという優れた効果が得られる。
【図面の簡単な説明】
【００１６】
【図１】本発明の実施の形態におけるガス測定装置の構成を示す構成図である。
【図２】本発明の実施の形態におけるガス測定方法を説明するフローチャートである。
【図３】実施例１における検知素子１０１によるガス測定装置を用いたホルムアルデヒドガスの測定を説明する説明図である。
【発明を実施するための形態】
【００１７】
以下、本発明の実施の形態について図を参照して説明する。図１は、本発明の実施の形態におけるガス測定装置の構成を示す構成図である。このガス測定装置は、まず、測定対象のガスにより着色を発生させる検知剤を孔内に配置したガラスからなる透明な多孔体よりなる検知素子１０１を備える。また、検知剤による着色の吸収波長の光を検知素子１０１に向けて照射する光源１０２を備える。また、光源１０２により照射されて検知素子１０１を透過した光を検出する光検出部１０３を備える。また、光検出部１０３が検出した光の状態により光源１０２からの光の出力を制御する制御部１０４を備える。例えば、制御部１０４は、検知剤による着色の状態を減少させるように、光検出部１０３が検出した光の状態により光源１０２からの光の出力強度や照射時間などを制御する。
【００１８】
ここで、検知素子１０１が備える検知剤は、二酸化窒素イオンと反応してジアゾ化合物を生成するジアゾ化試薬およびジアゾ化合物とカップリングしてアゾ色素を生成するカップリング試薬とを含む。この場合、検知素子１０１は、二酸化窒素ガスを検出するものとなる。検知剤は、二酸化窒素と反応して波長５００〜５５０ｎｍに吸収をもつ着色物質を生成する（着色を発生させる）。このため、検知素子１０１の波長５００〜５５０ｎｍにおける透過率（吸光度）が、曝された雰囲気に含まれる二酸化窒素ガスの濃度に対応して変化する（特許文献１参照）。波長５００〜５５０ｎｍは、上記検知剤による着色（着色物質）の吸収波長を含む波長帯となる。なお、ジアゾ化試薬としては、スルファニル酸、スルファニルアミドが挙げられ、カップリング試薬としては、ジメチルナフチルアミン，ナフチルエチレンジアミン塩酸塩などが挙げられる。
【００１９】
また、検知素子１０１が備える検知剤は、アセチルアセトンもしくはアセチルアセトンの誘導体を含む。この場合、検知素子１０１は、ホルムアルデヒドガスを検出するものとなる。検知剤は、ホルムアルデヒドと反応して波長４００〜４５０ｎｍに吸収を持つ着色物質を生成する（着色を発生させる）。このため、検知素子１０１の波長４００〜４５０ｎｍにおける透過率（吸光度）が、曝された雰囲気に含まれるホルムアルデヒドガスの濃度に対応して変化する（特許文献２参照）。波長４００〜４５０ｎｍは、上記検知剤による着色（着色物質）の吸収波長を含む波長帯となる。なお、アセチルアセトンの誘導体としては、１−フェニル−１，３−ブタンジオン，１，３−ジフェニル−１，３−プロパンジオン，４−アミノ−４−フェニル−３−エン−２−オンなどが挙げられる。
【００２０】
次に、本実施の形態におけるガス測定方法について、図２のフローチャートを用いて説明する。まず、検知素子１０１を作製する。検知素子１０１は、検知剤が溶解している溶液をガラスからなる透明な多孔体（多孔質ガラス）に含浸させることで作製できる。なお、この作製は、測定対象のガスがない雰囲気で行う。
【００２１】
次に、作製した検知素子１０１の吸光度を測定する（ステップＳ２０１）。例えば、制御部１０４の制御により、光源１０２より検知剤による着色の吸収波長を含む波長帯の光を、より短い波長から一定の波長間隔（例えば１ｎｍ）ごとに、検知素子１０１に向けて照射する。これにより検知素子１０１を透過した透過光を、光検出部１０３で検出し、波長ごとの吸光度の推移を示す初期光透過状態を得る。また、検知剤による着色の吸収波長の光を照射し、検知素子１０１を透過した透過光を光検出部１０３で検出し、吸収波長の吸光度を初期光透過状態としてもよい。得られた初期光透過状態は、例えば制御部１０４に記憶する。
【００２２】
次に、検知素子１０１を、測定対象のガスが含まれている雰囲気に曝露する（ステップＳ２０２）。この曝露により、検知素子１０１の検知剤による着色が発生し、検知剤による着色の吸収波長の吸光度が変化する。この後、曝露した検知素子１０１の吸光度を前述同様に測定し、曝露後光透過状態を得る（ステップＳ２０３）。このようにして測定して得られた曝露後光透過状態と初期光透過状態とを比較することで、測定対象のガスの測定が行える。例えば、制御部１０４により、曝露後光透過状態の吸光度と、初期光透過状態の吸光度との差により、測定対象ガスの濃度を算出する。
【００２３】
次に、検知素子１０１に検知剤による着色の吸収波長の光を照射し、検知剤による着色の状態を減少させ、検知素子１０１を初期化する（ステップＳ２０４）。例えば、制御部１０４の制御により、光源１０２より検知剤による着色の吸収波長の光を検知素子１０１に照射し、また、検知素子１０１を透過した透過光を、光検出部１０３で検出する。制御部１０４は、以上のようにして光検出部１０３の検出により算出される吸光度の減少を検出するまで、光源１０２による光照射を継続させる。また、制御部１０４は、光検出部１０３が検出により算出される吸光度が、初期光透過状態の吸光度に等しくなるまで、光源１０２による光照射を継続させる。
【００２４】
以上のステップＳ２０１からステップＳ２０４の動作を、測定を終了するまで行う（ステップＳ２０５）。
【００２５】
以上に説明したように、本実施の形態によれば、測定により検知剤による着色が発生しても、検知剤による着色の吸収波長の光を照射することで、例えば、検知素子１０１を初期光透過状態に等しくするなど、検知剤による着色の状態を減少させるようにした。例えば、検知剤による着色が測定限界に達した後でも、検知剤による着色の状態を減少させれば、再び、測定対象ガスによる検知剤による着色を起こせるようになり、測定対象のガスの測定が繰り返してできるようになる。
【００２６】
以下、実施例を用いてより詳細に説明する。
【００２７】
［実施例１］
始めに、実施例１について説明する。まず、検知素子１０１の作製について説明する。１−フェニル−１，３−ブタンジオン０．１５７ｇをエタノール５０ｍｌに溶解し、この溶液に、酢酸アンモニウム７．５ｇ，酢酸０．１５ｍｌ，および水を加え、全量を６０ｍｌとした検知剤溶液を作製する。次に、作製した検知剤溶液に、平均孔径４ｎｍの多孔質ガラス（コーニング社製バイコール＃３９７０）を浸漬し（２４時間）、検知剤溶液を多孔質ガラスに含浸させる。この含浸させた多孔質ガラスを、乾燥窒素中で乾燥させる（２４時間）。
【００２８】
以上のようにして作製した検知素子１０１によるガス測定装置を用いたホルムアルデヒドガスの測定について、図３の説明図を用いて説明する。まず、検知素子１０１に対し、制御部１０４の制御により、光源１０２より本実施例における検知剤による着色の吸収波長である４１５ｎｍの光を、３０分ごとに照射する。光源１０２を３０分間隔で点滅させればよい。このとき、光源１０２より照射する光の強度を、最大光強度の１／１０としておく。また、光検出部１０３による光強度測定値と、予め測定しておいた多孔質ガラスの透過光による光強度測定値との比により、検知素子１０１の吸光度を、光源１０２の点灯ごとに算出する。この算出は、制御部１０４により行う。初期の吸光度は、０．１２程度である。
【００２９】
上述した３０分間隔の光源１０２の点滅および吸光度の算出を１７時間継続し（図３中範囲Ａ１）、この後、検知素子１０１を含むガス測定装置の雰囲気を、１０〜４０ｐｐｂのホルムアルデヒドが含まれる状態とする。例えば、本ガス測定装置を、ホルムアルデヒドの濃度が調整可能なチャンバー内に配置し、上述した測定を行えばよい。このようにして、ガス測定装置の雰囲気をホルムアルデヒドが含まれる状態としてから、３０分ごとの光源１０２の点灯および吸光度の算出を２回行う（図３中範囲Ｂ１）。この２回目の吸光度の算出では、吸光度が０．１５となる。目視では、検知素子１０１に発生した着色が、黄色であることが確認できる。
【００３０】
次に、チャンバー内にホルムアルデヒドを含まない空気を供給することにより、ガス測定装置の雰囲気を、ホルムアルデヒドが含まれない状態とし、光検出部１０３の光出力（強度）を最大として検知素子１０１に光を３分照射する初期化を、３０分ごとに５回繰り返す（図３中範囲Ｃ１）。この初期化においても、上述同様に、光検出部１０３により検出される光強度測定値から吸光度を算出すると、５回目において、吸光度が０．１２となり、初期の状態に戻る。目視では、検知素子１０１が無色であることが確認できる。
【００３１】
次に、光検出部１０３の光出力を１／１０とし、３０分ごとの光源１０２の点灯および吸光度の算出を所定時間継続する（図３中範囲Ａ２）。
【００３２】
次に、再度、チャンバー内にホルムアルデヒドを含む空気を供給することにより、ガス測定装置の雰囲気を、１０〜４０ｐｐｂのホルムアルデヒドが含まれる状態とし、３０分ごとの光源１０２の点灯および吸光度の算出を１９回行う（図３中範囲Ｂ２）。この１９回目の吸光度の算出では、吸光度が０．２４となる。目視では、検知素子１０１に発生する着色が黄色であることが確認できる。
【００３３】
次に、チャンバー内にホルムアルデヒドを含まない空気を供給することにより、ガス測定装置の雰囲気を、ホルムアルデヒドが含まれない状態とし、光検出部１０３の光出力を最大として検知素子１０１に光を３分照射する初期化を、３０分ごとに２０回繰り返す（図３中範囲Ｃ２）。この初期化においても、上述同様に、光検出部１０３により検出される光強度測定値から吸光度を算出すると、２０回目において、吸光度が０．１２となり、初期の状態に戻る。目視では、検知素子１０１が無色であることが確認できる。
【００３４】
次に、光検出部１０３の光出力を１／１０とし、３０分ごとの光源１０２の点灯および吸光度の算出を所定時間継続する（図３中範囲Ａ３）。
【００３５】
次に、再度、チャンバー内にホルムアルデヒドを含む空気を供給することにより、ガス測定装置の雰囲気を、１０〜４０ｐｐｂのホルムアルデヒドが含まれる状態とし、３０分ごとの光源１０２の点灯および吸光度の算出を１５回行う（図３中範囲Ｂ３）。この１５回目の吸光度の算出では、吸光度が０．２０となる。目視では、検知素子１０１に発生する着色が黄色であることが確認できる。
【００３６】
次に、チャンバー内にホルムアルデヒドを含まない空気を供給することにより、ガス測定装置の雰囲気を、ホルムアルデヒドが含まれない状態とし、光検出部１０３の光出力を最大として検知素子１０１に光を３分照射する初期化を、３０分ごとに回繰り返す（図３中範囲Ｃ３）。この初期化においても、上述同様に、光検出部１０３により検出される光強度測定値から吸光度を算出すると、吸光度が徐々に減衰していくことが確認できる。
【００３７】
以上に示したように、本実施例における検知素子１０１は、ホルムアルデヒドと検知剤の反応により着色が起こった後、検知剤の吸収波長の光を検知素子１０１に照射することで、検知剤による着色の状態を減少させて初期の状態に戻すことができる。このため、本実施の形態における検知素子１０１を用いたガス測定装置によれば、上述したように、繰り返して測定をすることができる。
【００３８】
ところで、ホルムアルデヒドを含む雰囲気に曝して黄色の着色を発生した検知素子１０１に対し、波長６１１ｎｍの光を照射しても、着色の減少がほとんど観察されない。これに対し、上述したように、検知剤の吸収波長の光を照射することで検知剤による着色を減少させることができる。これは、測定対象のガス（ホルムアルデヒドガス）と検知剤との反応により生成される着色に関与する物質（着色物質：ルチジン誘導体）が、この着色物質の吸収波長の光を照射することで分解されるためであると考えられる。ここで、測定対象ガスとの反応で着色物質が生成されることにより、検知剤は消費されて減少する。従って、測定により消費される検知剤がなくなるまで、測定を繰り返す（継続する）ことができる。
【００３９】
［実施例２］
次に、実施例２について説明する。まず、検知素子１０１の作製について説明する。スルファニルアミド０．１７２ｇ，ジメチルナフチルアミン０．０２１ｇをエタノール５０ｍｌに溶解して検知剤溶液を作製する。次に、作製した検知剤溶液に、平均孔径４ｎｍの多孔質ガラス（コーニング社製バイコール＃３９７０）を浸漬し（２４時間）、検知剤溶液を多孔質ガラスに含浸させる。この含浸させた多孔質ガラスを、乾燥窒素中で乾燥させる（２４時間）。
【００４０】
以上のようにして作製した検知素子１０１によるガス測定装置を用い、二酸化窒素ガスの測定を行う。まず、検知素子１０１に対し、制御部１０４の制御により、光源１０２より本実施例における検知剤による着色の吸収波長である５２５ｎｍの光を照射する。光源１０２を３０分間隔で点滅させればよい。このとき、光源１０２より照射する光の強度を、最大光強度の１／１０としておく。また、光検出部１０３による光強度測定値と、予め測定しておいた多孔質ガラスの透過光による光強度測定値との比により、検知素子１０１の吸光度を算出する。初期の吸光度は、０．１２程度である。
【００４１】
次に、検知素子１０１を含むガス測定装置の雰囲気を、１０〜４０ｐｐｂの二酸化窒素が含まれる状態とする。例えば、本ガス測定装置を、二酸化窒素の濃度が調整可能なチャンバー内に配置し、上述した測定を行えばよい。このようにして、ガス測定装置の雰囲気を二酸化窒素が含まれる状態としてから、３０分ごとの光源１０２の点灯および吸光度の算出を１０回行う。この１０回目の吸光度の算出では、吸光度が０．７０となる。目視では、検知素子１０１に赤紫色の着色が発生していることが確認できる。
【００４２】
次に、チャンバー内に二酸化窒素を含まない空気を供給することにより、ガス測定装置の雰囲気を、二酸化窒素が含まれない状態とし、光検出部１０３の光出力を最大として検知素子１０１に光を１２０分照射する初期化を行う。この初期化の後に、上述同様に、光検出部１０３により検出される光強度測定値から吸光度を算出すると、吸光度が０．６５と減少する。
【００４３】
上述したように、本実施例においても、検知剤による着色の吸収波長の光を照射することで検知剤による着色を減少させることができる。これは、測定対象のガス（二酸化窒素ガス）と検知剤との反応により生成される着色に関与する着色物質（アゾ色素）が、この着色物質の吸収波長の光を照射することで分解されるためであると考えられる。ここで、測定対象ガスとの反応で着色物質が生成されることにより、検知剤は消費されて減少する。従って、本実施例においても、測定により消費される検知剤がなくなるまで、測定を繰り返す（継続する）ことができる。
【符号の説明】
【００４４】
１０１…検知素子、１０２…光源、１０３…光検出部、１０４…制御部。
【図１】
2010175268.tif 000003
【図２】
2010175268.tif 000004
【図３】
2010175268.tif 000005